(57)【要約】【課題】不使用時にコンパクトに折畳んで保管スペースを節約するとともに、任意に持運ぶことが可能な利便性を付与する。【解決手段】箱本体１０を前面側側板２０、左右の側板３１、４５および背面側側板５９から構成し、背面側側板５９の下端側に折曲げ線６８を介して底板６９を連設する。折畳む場合には、底板６９を背面側側板５９の内側に重合わせるように折曲げ、さらに左右の側板３１、４５をその中央の折曲げ線４２、５５のところで内側に折曲げる。そしてヒンジ６２を分離して取外された蓋体１１の凹部１０２内に、折畳まれた箱本体１０を収納する。【選択図】図１１
0003123548.tif 000002
【実用新案登録請求の範囲】
【請求項１】
内部に物品を収納する折畳み式の収納箱において、
上部が開口になっている直方体状の箱本体と、
前記箱本体の上部開口を閉塞する蓋体と、
を有し、前記箱本体は互いに対向する一対の側板の幅方向のほぼ中央部に内側に折込むための縦方向に延びる折曲げ線が形成され、他の一対の側板の内の一方の側板の下端に底板が折曲げ可能に連設され、
前記底板を前記一方の側板の内側に重合うように折畳み、前記一対の側板を前記縦方向の折曲げ線によって内側に折込むことによって前記箱本体が偏平に折畳まれ、
前記蓋体の４辺にそれぞれ側壁部が連設され、該側壁部によって囲まれる前記蓋体の凹部内に前記折畳まれた箱本体が収納されることを特徴とする折畳み式の収納箱。
【請求項２】
前記箱本体および前記蓋体が、押出し成形された中空の合成樹脂製パネルによって組立てられることを特徴とする請求項１に記載の折畳み式の収納箱。
【請求項３】
前記蓋体が縦方向に延びる折曲げ線によって内側に折畳まれる側板以外の他の一対の側板の内の一方にヒンジ手段を介して回動可能に取付けられることを特徴とする請求項１に記載の折畳み式の収納箱。
【請求項４】
前記蓋体が取付けられるヒンジ手段が着脱自在であることを特徴とする請求項３に記載の折畳み式の収納箱。
【請求項５】
前記蓋体が取付けられるヒンジ手段が、２つのヒンジ具を結合して組立てられ、回動部位が２つあることを特徴とする請求項３に記載の折畳み式の収納箱。
【請求項６】
前記蓋体の４辺の側壁の内の前記ヒンジ手段が連結される側壁とは反対側の側壁に取手が取付けられ、該取手によって前記蓋体が開閉されるとともに、前記箱本体が折畳まれて前記蓋体の凹部内に収納されたときに、前記取手によって持運ぶようにしたことを特徴とする請求項３に記載の折畳み式の収納箱。
【請求項７】
縦方向の折曲げ線が形成された一対の側板と他の一対の側板とがそれらの側端において互いに折曲げ可能な連結手段を介して連結されることを特徴とする請求項１に記載の折畳み式の収納箱。
【請求項８】
前記縦方向に延びる折曲げ線によって内側に折畳まれる側板以外の他の一対の側板の内の前記ヒンジ手段が連結される側板とは反対側の側板と前記取手が取付けられる蓋体の側壁とがロック手段によって互いにロックされることを特徴とする請求項６に記載の折畳み式の収納箱。
【考案の詳細な説明】
【技術分野】
【０００１】
本考案は、折畳み式の収納箱に係り、とくに組立てた状態で内部に物品を収納するとともに、不使用時においては折畳んでこの収納箱の蓋体の凹部内に箱本体を収納するようにした折畳み式の収納箱に関する。
【背景技術】
【０００２】
一般に物品を収納して搬送するために、収納箱が広く用いられる。収納箱は、例えばその上部に形成されている開口を通して、内部空間に各種の物品を収納するものである。このような収納箱は、不使用時においても、そのままの形態を維持すると、かさばる欠点がある。そこで従来より各種の折畳み式の包装箱が提案されている。ところが折畳んだ状態で、しかも簡易に持運びする工夫が必ずしもなされていない欠点がある。
【考案の開示】
【考案が解決しようとする課題】
【０００３】
本願考案の課題は、必要に応じて組立てて内部に物品を収納できるとともに、不使用時においては折畳んで保管スペースを最小限に抑えるようにした収納箱を提供することである。
【０００４】
本願考案の別の課題は、不使用時において折畳んだ状態で、しかも簡便に持運びできるようにした折畳み式の収納箱を提供することである。
【０００５】
本願考案のさらに別の課題は、不使用時に折畳むための操作が容易な折畳み式の収納箱を提供することである。
【０００６】
本願考案のさらに別の課題は、折畳まれた収納箱を容易に組立てることができるようにした折畳み式の収納箱を提供することである。
【０００７】
本願考案の上記の課題および別の課題は、以下に述べる本願考案の技術的思想、およびその実施の形態によって明らかにされる。
【課題を解決するための手段】
【０００８】
本願の主要な考案は、内部に物品を収納する折畳み式の収納箱において、
上部が開口になっている直方体状の箱本体と、
前記箱本体の上部開口を閉塞する蓋体と、
を有し、前記箱本体は互いに対向する一対の側板の幅方向のほぼ中央部に内側に折込むための縦方向に延びる折曲げ線が形成され、他の一対の側板の内の一方の側板の下端に底板が折曲げ可能に連設され、
前記底板を前記一方の側板の内側に重合うように折畳み、前記一対の側板を前記縦方向の折曲げ線によって内側に折込むことによって前記箱本体が偏平に折畳まれ、
前記蓋体の４辺にそれぞれ側壁部が連設され、該側壁部によって囲まれる前記蓋体の凹部内に前記折畳まれた箱本体が収納されることを特徴とする折畳み式の収納箱に関するものである。
【０００９】
ここで、前記箱本体および前記蓋体が、押出し成形された中空の合成樹脂製パネルによって組立てられてよい。また前記蓋体が縦方向に延びる折曲げ線によって内側に折畳まれる側板以外の他の一対の側板の内の一方にヒンジ手段を介して回動可能に取付けられてよい。また前記蓋体が取付けられるヒンジ手段が着脱自在であってよい。また前記蓋体が取付けられるヒンジ手段が、２つのヒンジ具を結合して組立てられ、回動部位が２つあってよい。また前記蓋体の４辺の側壁の内の前記ヒンジ手段が連結される側壁とは反対側の側壁に取手が取付けられ、該取手によって前記蓋体が開閉されるとともに、前記箱本体が折畳まれて前記蓋体の凹部内に収納されたときに、前記取手によって持運ぶようにしてよい。また縦方向の折曲げ線が形成された一対の側板と他の一対の側板とがそれらの側端において互いに折曲げ可能な連結手段を介して連結されてよい。また前記縦方向に延びる折曲げ線によって内側に折畳まれる側板以外の他の一対の側板の内の前記ヒンジ手段が連結される側板とは反対側の側板と前記取手が取付けられる蓋体の側壁とがロック手段によって互いにロックされてよい。
【考案の効果】
【００１０】
本願考案は、内部に物品を収納する折畳み式の収納箱において、上部が開口になっている直方体状の箱本体と、箱本体の上部開口を閉塞する蓋体と、を有し、箱本体は互いに対向する一対の側板の幅方向のほぼ中央部に内側に折込むための縦方向に延びる折曲げ線が形成され、他の一対の側板の内の一方の側板の下端に底板が折曲げ可能に連設され、底板を一方の側板の内側に重合うように折畳み、一対の側板を縦方向の折曲げ線によって内側に折込むことによって箱本体が偏平に折畳まれ、蓋体の４辺にそれぞれ側壁部が連設され、該側壁部によって囲まれる蓋体の凹部内に折畳まれた箱本体が収納されるようにしたのものである。
【００１１】
従って不使用時には、底板を一方の側板の内側に重合うように折畳み、さらに一対の側板を縦方向の折曲げ線によって内側に折込むことによって箱本体が偏平に折畳まれ、側壁部によって囲まれる箱体の凹部内に折畳まれた箱本体が収納されるようになる。従って蓋体が、折畳まれた箱本体の収納手段を構成することになり、不使用時における保管のスペースを最小限に抑えるとともに、容易に運搬をすることが可能になり、運搬の利便性の高い折畳み式の収納箱が提供される。
【考案を実施するための最良の形態】
【００１２】
以下本願考案を図示の一実施の形態によって説明する。図１は本実施の形態の折畳み式の収納箱を組立てた状態の外観を示しており、この収納箱は、ほぼ直方体状の箱本体１０と、この箱本体１０の上部開口を閉塞する偏平な蓋体１１とを備えている。なお蓋体１１の前面側には取手１２が設けられ、この取手１２によって蓋体１１を回動させて開閉できるようにしている。
【００１３】
ここで上記箱本体１０および蓋体１１は、ともに図２に示すような段プラシート１５から組立てられる。段プラシート１５は、ポリプロピレン等の合成樹脂材料を押出し成形したものであって、押出し方向に連続する中空部１６が形成された合成樹脂製のパネルである。このようなパネルは、その構造が段ボールと類似しておりかつ合成樹脂（プラスチック）製であるために、通常段プラあるいは段プラシートと称されている。
【００１４】
次に箱本体を構成する前面側側板２０について図３によって説明する。この前面側側板２０は図示のように、段プラシートの中空部１６が縦方向に延びるように用いられる。そして上側の一対の折曲げ線２１を介して上端には折返し片２２が連設される。また下端側には単一の折曲げ線２３を介して折曲げ片２４が連設される。また幅方向のほぼ中央部には上側寄りにバックル取付け用の切込み２５が形成される。またこの前面側側板２０には左右にそれぞれ一対ずつの連結バンド２６が連結される。
【００１５】
次に箱本体１０の左側側板３１について図４により説明する。左側側板３１は上側に一対の折曲げ線３２を介して折返し片３３が連設される。しかも折返し片３３にはその横方向のほぼ中央部に切溝３４が形成される。また下端側には一対の折曲げ線３５を介して折返し片３６が連設される。ここでも折返し片３６にはその横方向の中間部に切溝３７が形成される。また左側側板３１の左右にはそれぞれ一対の折曲げ線３８を介して連結部３９が形成される。さらにこの左側側板３１には、中央の折曲げ線４２に対してその右側に取手穴４０が形成される。また折曲げ線４２に対してその左右にはそれぞれ上下一対ずつのファスナ４１が取付けられる。そして上下の切溝３４、３７を連結するように、この左側側板３１の幅方向のほぼ中央部には折曲げ線４２が形成される。この折曲げ線４２が、箱本体１０を偏平に折畳むための折曲げ線である。
【００１６】
次に箱本体１０の右側側板４５について図５により説明する。右側側板４５には上側の一対の折曲げ線４６を介して折返し片４７が連設される。そして折返し片４７には、その左右の中間部に切溝４８が形成される。また下端側には一対の折曲げ線４９を介して折返し片５０が形成される。折返し片５０にはその中間位置に切溝５１が形成される。またこの右側側板４５の左右両端にはそれぞれ一対の折曲げ線５２を介して連結部５３が連設される。またこの右側側板４５の中央の折曲げ線５５に対して右側に位置するように取手穴５４が形成される。上下の切溝４８、５１を連結するように形成される折曲げ線５５は、この箱本体１０を偏平に折畳むための折曲げ線を構成している。
【００１７】
次に箱本体１０の背面側側板５９について図６により説明する。背面側側板５９は前面側側板２０とほぼ同一の寸法に構成され、上端側には一対の折曲げ線６０を介して折返し片６１が連設される。また背面側側板５９の上端には一対のヒンジ６２が取付けられ、これらのヒンジ６２によって蓋体１１が開閉自在に取付けられるようになっている。また背面側側板５９にはバックル取付け用の切込み６３が形成される。またこの背面側側板５９にはその左右にそれぞれ一対ずつ連結バンド６４が取付けられる。また背面側側板５９の下端には折曲げ線６８を介して底板６９が形成される。そしてこの底板６９の図６において下端側には、一対の折曲げ線７０を介して折返し片７１が連設される。また折曲げ線７０の近傍にはベルト取付け用の切込み７２が形成される。
【００１８】
次に上記箱本体１０の上部開口を閉塞する蓋体１１の構成を図７によって説明する。蓋体１１は図７に示すように打抜かれた段プラシートを折畳んで組立てられるようになっており、その図７における左右両側にはそれぞれ折曲げ線７６を介して長辺側側壁７７が連設される。また長辺側側壁７７の先端には一対の折曲げ線７８を介して折返し片７９が連設される。また左側の長辺側側壁７７にはバックル取付け用の切込み８０が連設される。
【００１９】
また蓋体７５の図７における上端側には折曲げ線８３を介して短辺側側壁８４が連設される。しかも短辺側側壁８４の先端側には、一対の折曲げ線８５を介して折返し片８６が連設される。また上記長辺側側壁７７の両側には折曲げ線８９を介して連結板９０が連設される。また一方の長辺側側壁７７には、そのほぼ中央部に取手９１を取付けた取付け穴９２が形成される。
【００２０】
次にこのような蓋板１１を用いて蓋体を組立てる動作について説明する。図８に示すように、折曲げ線７６のところで長辺側側壁７７を折曲げるとともに、さらに長辺側側壁７７の先端側の折曲げ片７９を一対の折曲げ線７８によって折曲げる。また折曲げ線８３によって両側の短辺側側壁８４を直角に折曲げるとともに、その先端の折返し片８６を一対の折曲げ線８５によって内側へ折曲げる。このときに左右の連結板９０を折曲げ線８９によって折曲げて折返し片８６の内側に収納する。これによって図９に示すように偏平な蓋体７５が組立てられる。この蓋体７５は、その４辺を構成する一対の長辺側側壁７７と一対の短辺側側壁８４とを連結するように、コーナの部分において必要に応じて、固定具９３が用いられる。固定具９３は、例えばＬ字状の合成樹脂あるいは金属の固定具であってよい。
【００２１】
次にこのような蓋体１１を箱本体１０の上部に取付ける動作について説明する。蓋体１１にはその長辺側側壁７７の部分にヒンジ金具９５が取付けられる。一方箱本体１０の背面側側板５９にはヒンジ金具９７が取付けられる。そして蓋体１１側のヒンジ金具９５のピン９６がヒンジ金具９７の筒状部９８内に収納されてヒンジ６２が形成され、これによって図１０Ｂに示すように、蓋体１１が箱本体１０に回動可能に取付けられる。
【００２２】
図１０に示すように、蓋体１１を箱本体１０に取付けるヒンジ６２は、一対のヒンジ金具９５、９７から構成され、これらが互いに着脱自在になっているために、必要に応じて箱本体１０から蓋体１１を取外し、あるいはまた取外された蓋体１１を箱本体１０に結合することができる。
【００２３】
箱本体１０の組立てについて説明すると、図１１に示すように、箱本体１０は前面側側板２０、左側側板３１、右側側板４５、および背面側側板５９を互いに結合して組立てられるようになっている。なお左右の側板３１、４５と前面側側板２０および背面側側板５９との連結のために、必要に応じて折畳み式の連結具９９と連結バンド２６とが用いられる。また箱本体１０の底部は、背面側側板５９に連設された底板６９によって構成される。すなわち折曲げ線６８のところで底板６９を背面側側板５９に対して回動させることにより、底部開口が底板６９によって閉塞される。底板６９の両側は左右の側板３１、４５の折返し片３６、５０によって受けられ、さらに底板６９の前縁が前面板２０の折曲げ片２４によって受けられる。
【００２４】
左右の側板３１、４５と前面側側板２０および背面側側板５９との連結のために、必要に応じて折畳み式連結具９９が用いられる。折畳み式連結具９９はこの箱本体のコーナの部分に取付けられる。また左右の側板３１、４５と前面側側板２０および背面側側板５９は、必要に応じて連結バンド２６によって連結される。連結バンド２６はその先端側の部分が、ファスナ４１に係合される。すなわち連結バンド２６とファスナ４１とは、マジックテープ（商品名）と称されるベルクロファスナによる結合であって、必要に応じて連結バンド２６をファスナ４１に結合させることによって、４枚の側板２０、３１、４５、５９を連結する。
【００２５】
このような箱本体１０は、その左右の側板３１、４５にそれぞれ内側へ折畳むための折曲げ線４２、５５が形成されているために、偏平に折畳むことができるようになっている。すなわち上述の如く、箱本体１０の上部開口を取付けている蓋体１１を図１０に示す動作とは逆の動作によって取外すとともに、図１２に示すように、背面側側板５９の内側に底板６９を重合わせるように折曲げる。そして左側側板３１と右側側板４５とを、それらの幅方向のほぼ中央部に形成されている折曲げ線４２によって内側へ折曲げる。これによって箱本体１０は図１３に示すように折畳まれることになる。折畳まれたときの箱本体１０の寸法は、蓋体１１の内側に形成される凹部１０２の中に入る大きさである。また折畳まれた箱本体１０の高さ方向の寸法（厚さ）は、蓋体１１の長辺側側壁７７および短辺側側壁８４の高さ方向の寸法と同じかそれよりもやや小さな値になっている。従って折畳まれた箱本体１０は、蓋体１１の凹部１０２内に収納される。従って箱本体１０を折畳んで蓋体７５の凹部１０２内に収納することにより、図１４に示すように持運ぶことが可能になる。
【００２６】
またこのように折畳まれて蓋体１１の凹部１０２内に収納される箱本体１０は、上記の動作とは逆の動作によって、図１２および図１１に示すように、直方体状に組立てられる。直方体状に組立てる動作は、左右の側板３１、４５の幅方向のほぼ中央部の折曲げ線４２、５５のところで左右の側板３１、４５を外側へ開き、この後に背面側側板５９に対して底板６９を底部側に折曲げることによって達成される。これによって図１１に示すように上部が開口になっている直方体状の箱本体１０を組立てることが可能になる。
【００２７】
次に別の実施の形態を図１５〜図２１によって説明する。この実施の形態は、とくに図１５〜図１７に示すように、蓋体１１の背面側に位置する長辺側側壁７７と背面側側板５９との上端が、ヒンジ６２によって連結されている。ここでヒンジ６２は、とくに図１６および図１７に示すように、一対のヒンジ金具９５、９７から構成され、これらのヒンジ金具９５、９７が互いにリベット１０３によって結合された構造になっている。すなわちこのヒンジ６２は、一対の回動部を備え、これによって２個所で回動可能になっており、上側の回動部が蓋体１１の長辺側側板７７の先端部に位置している。これに対して第１の回動部位が背面側側板５９の外表面上に位置している。しかもこのようなヒンジ６２は、着脱自在ではなくて分離不能になっており、蓋体１１は常時背面側側板５９の上端に固着された状態になっている。
【００２８】
またこの実施の形態においては、中間に縦方向の折曲げ線４２、５５が形成された左右の側板３１、４５を固定するために、上下一対ずつのバンド１０５が使用されるようになっている。なおそれ以外の形態は、上記第１の実施の形態とほぼ同一である。
【００２９】
次にこのような折畳み式の収納箱の収納動作について説明する。この収納箱は、蓋体１１を開くと図１５に示すようになり、上部が開口になり、しかも４辺が前面側側板２０、背面側側板５９、左側側板３１、および右側側板４５から構成され、底部が底板６９によって閉塞される。従ってこの中に各種の物品を収納して持運ぶことができるようになる。
【００３０】
次にこのような収納箱を折畳む動作を説明する。収納動作は、まず図１８に示すように、背面側側板５９の下端に連設されている底板６９を、背面側側板５９の下端の折曲げ線を中心に回動させて背面側側板５９に重合わせる。これによってこの折畳み式の収納箱は底部が開放状態になる。このような状態で、図１９に示すように、左側側板３１と右側側板４５とをそれぞれ中央部を縦方向に延びて形成される折曲げ線４２、５５によって内側へ折込む。このような左右の側板３１、４５の折込み動作によって、前面側側板２０と底板６９と背面側側板５９とがほぼ重合わさるように折畳まれる。折畳まれた状態は図２０に示すようになる。この状態において、背面側側板５９の上端が一対のヒンジ６２を介して蓋体１１の長辺側側壁７７の先端部に回動可能に連結された状態になっている。
【００３１】
従って図２０に示すような状態において、蓋体１１の左右の短辺側側板８４と長辺側側板７７とによって形成される凹部内に、折畳まれた収納箱を収納する。この動作は、蓋体１１の長辺側側壁７７を内側へ直角に折曲げ、さらに背面側の長辺側側壁７７に対して収納箱側の背面側側板５９を直角に折曲げることにより達成される。このような動作によって、蓋体１１の凹部内に折畳まれた収納箱が収納されることになり、これによって不使用時に容易に持運ぶことができるようになる。なお折畳まれた状態において、必要に応じてバンド１０５等によって固定することを妨げない。
【００３２】
以上本願考案を図示の実施の形態によって説明したが、本願考案は上記実施の形態によって限定されることなく、本願に含まれる考案の技術的思想の範囲内において各種の変更が可能である。例えば中に収納する物品の種類や形状等に応じて、その寸法、縦横比等を任意に変更することが可能である。また左右の側板３１、４５の連結手段等の構成についても、任意に各種の連結手段を選択することができる。
【産業上の利用可能性】
【００３３】
本願考案は、各種の物品を収納して搬送するとともに、不使用時に折畳むことができる折畳み式の収納箱として広く利用可能である。
【図面の簡単な説明】
【００３４】
【図１】折畳み式の収納箱の組立てられた状態の外観斜視図である。
【図２】箱本体１０および蓋体１１を組立てるための段プラシートの拡大断面図である。
【図３】前面側側板の平面図である。
【図４】左側側板の平面図である。
【図５】右側側板の平面図である。
【図６】底板を連設した背面側側板の平面図である。
【図７】蓋体の展開平面図である。
【図８】蓋体の組立ての動作を示す斜視図である。
【図９】組立てられた蓋体の斜視図である。
【図１０】蓋体を取付けるためのヒンジの着脱の動作を示す正面図である。
【図１１】組立てられた収納箱の蓋体を開放した状態の斜視図である。
【図１２】同箱本体を内側に折畳む動作を示す斜視図である。
【図１３】箱本体を折畳んで蓋体の凹部に収納する動作を示す斜視図である。
【図１４】蓋体の凹部に箱本体を収納して持運ぶ動作を示す斜視図である。
【図１５】別の実施の形態の収納箱の組立てられた状態の外観斜視図である。
【図１６】同蓋体の回動可能な取付けのためのヒンジの構造を示す側面図である。
【図１７】ヒンジの分解斜視図である。
【図１８】底板を背面側側板の内側に重合わせるように折曲げた状態の斜視図である。
【図１９】左右の側板を内側に折込んだ状態の斜視図である。
【図２０】収納箱を折畳んだ状態の斜視図である。
【図２１】折畳まれた収納箱を蓋体の中に収納した状態の斜視図である。
【符号の説明】
【００３５】
１０  箱本体
１１  蓋体
１２  取手
１５  段プラシート
１６  中空部
２０  前面側側板
２１  折曲げ線
２２  折返し片
２３  折曲げ線
２４  折曲げ片
２５  切込み（バックル取付け用）
２６  連結バンド
３１  左側側板
３２  折曲げ線
３３  折返し片
３４  切溝
３５  折曲げ線
３６  折返し片
３７  切溝
３８  折曲げ線
３９  連結部
４０  取手穴
４１  ファスナ
４２  折曲げ線
４５  右側側板
４６  折曲げ線
４７  折返し片
４８  切溝
４９  折曲げ線
５０  折返し片
５１  切溝
５２  折曲げ線
５３  連結部
５４  取手穴
５５  折曲げ線
５９  背面側側板
６０  折曲げ線
６１  折返し片
６２  ヒンジ
６３  切込み（バックル取付け用）
６４  連結バンド
６８  折曲げ線
６９  底板
７０  折曲げ線
７１  折返し片
７２  切込み（ベルト取付け用）
７６  折曲げ線
７７  長辺側側壁
７８  折曲げ線
７９  折返し片
８０  切込み（バックル取付け用）
８３  折曲げ線
８４  短辺側側壁
８５  折曲げ線
８６  折返し片
８９  折曲げ線
９０  連結板
９１  取手
９２  取付け穴
９３  固定具
９５  ヒンジ金具
９６  ピン
９７  ヒンジ金具
９８  筒状部
９９  折畳み式連結具
１０２  凹部
１０３  リベット
１０５  バンド
【図１】
0003123548.tif 000003
【図２】
0003123548.tif 000004
【図３】
0003123548.tif 000005
【図４】
0003123548.tif 000006
【図５】
0003123548.tif 000007
【図６】
0003123548.tif 000008
【図７】
0003123548.tif 000009
【図８】
0003123548.tif 000010
【図９】
0003123548.tif 000011
【図１０】
0003123548.tif 000012
【図１１】
0003123548.tif 000013
【図１２】
0003123548.tif 000014
【図１３】
0003123548.tif 000015
【図１４】
0003123548.tif 000016
【図１５】
0003123548.tif 000017
【図１６】
0003123548.tif 000018
【図１７】
0003123548.tif 000019
【図１８】
0003123548.tif 000020
【図１９】
0003123548.tif 000021
【図２０】
0003123548.tif 000022
【図２１】
0003123548.tif 000023